(57)【要約】【課題】  電気基板に表面実装されたコネクタジャックの静圧強度を向上し、コネクタジャックに静圧負荷がかかった時、電気基板にかかる負荷を軽減するコネクタジャック保持構造を提供することである。【解決手段】  回路パターンが配線された基板と、基板に表面実装された少なくとも1つのコネクタジャックと、基板を保持するシャーシ部材と、コネクタジャックの実装面と対抗する面でコネクタジャックの筐体に当接するコネクタジャック補強部材と、開閉自在であり、閉じ状態でコネクタジャックを保護するコネクタジャック保護カバーとを有し、コネクタジャック保護カバーは開き状態でシャーシ部材と当接する第一の面と、コネクタジャック補強部材と当接する第二の面とを含む突起形状を有することを特徴とする。【選択図】  図７（ａ）
2012146593.tif 000002
【特許請求の範囲】
【請求項１】
回路パターンが配線された基板（９）と、該基板に表面実装された少なくとも1つのコネクタジャック（１０ａ）と、前記基板を保持するシャーシ部材（８）と、前記コネクタジャックの実装面と対向する面で前記コネクタジャックの筐体（１０ａ１）に当接するコネクタジャック補強部材（１５）と、開閉自在であり、閉じ状態で前記コネクタジャック（１０ａ）を保護するコネクタジャック保護カバー（６）とを有し、前記コネクタジャック保護カバー（６）は開き状態で前記シャーシ部材（８）と当接する第一の面（６ａ１）と、前記コネクタジャック補強部材と当接する第二の面（６ａ２）とを含む突起形状（６ａ）を有することを特徴とするコネクタジャックの支持構造。
【請求項２】
前記コネクタジャック保護カバー（６）は、前記コネクタジャック（１０ａ）にケーブルを挿入する方向と平行な方向に引出しあるいは押し込みすることで開閉可能であることを特徴とする請求項１に記載のコネクタジャックの支持構造。
【請求項３】
前記突起形状（６ａ）は、前記コネクタジャック保護カバー（６）の開き状態において、前記シャーシ部材（８）と前記コネクタジャック補強部材（１５）との間に侵入し、前記コネクタジャック（１０ａ）と前記コネクタジャック補強部材（１５）の当接部と、前記突起形状（６ａ）とコネクタジャック補強部材（１５）の当接部と、前記突起形状（６ａ）と前記シャーシ部材（８）の当接部とがケーブルを挿入する方向と垂直な方向にほぼ同一直線上に配置されることを特徴とする請求項１又は請求項２に記載のコネクタジャックの支持構造。
【請求項４】
前記突起形状（６ａ）は、前記コネクタ保護カバー（１５）の開き状態において、前記コネクタジャック保護カバー（６）の抜け止め形状を兼ねていることを特徴とする請求項１乃至３の何れか１項に記載のコネクタジャックの支持構造。
【発明の詳細な説明】
【技術分野】
【０００１】
本発明はコネクタジャックを有する電子機器に関し、特に電気基板に表面実装されたコネクタジャックの補強構造に関する。
【背景技術】
【０００２】
従来、コネクタジャックを電気基板に取り付ける方法としては、コネクタジャックを電気基板の表面に半田付けする方法、コネクタジャックの一部を電気基板のスルーホールに挿入して半田付けする方法が採用されている。
【０００３】
しかし、電気基板の表面に半田付けする方法では、電気基板のパターンの強度に依存し、プラグの抜き差しの繰り返しやコジリによって電気基板から外れやすいという問題がある。また、電気基板のスルーホールに挿入して半田付けする方法においては、スルーホールに流れ込んだ半田が補強となるため、表面に半田付けする方法よりも強度は強くなる。しかしながら、半田の強度だけではプラグの抜き差しの繰り返しやコジリによって、やはり基板から外れてしまうことが懸念される。特に、デジタルカメラなどの携帯型の電子機器に使用されているコネクタジャックは半田付けの面積が小さく、耐久性に問題があった。
【０００４】
そこで、電気基板に表面実装されたコネクタジャックを補強する提案がされている。
【０００５】
例えば、特許文献１では、コネクタジャックの取付構造において、コネクタジャックとは別部材の補強部材を備え、補強部材はコネクタジャックの外周を覆い、電気基板に直接固定されているものが開示されている。
【先行技術文献】
【特許文献】
【０００６】
【特許文献１】特許第４１１４１９５号明細書
【発明の概要】
【発明が解決しようとする課題】
【０００７】
特許文献１に開示された従来技術では、コネクタジャックの補強部材をコの字形状にしてネジ止め等で電気基板に直接固定している。したがって、コネクタジャックに対しプラグの抜き差しの繰り返しやコジリによって静圧負荷がかかったときには、電気基板にも負荷がかかってしまうという課題が残る。
【０００８】
本発明は上記問題点を鑑みてなされたものであり、本発明の目的はコネクタジャックの静圧強度を向上しつつ、電気基板に実装されたコネクタジャックに静圧負荷がかかった時、電気基板にかかる負荷を軽減するコネクタジャック保持構造を提供することである。
【課題を解決するための手段】
【０００９】
上記目的を達成するために、本発明の撮像装置は、
回路パターンが配線された電気基板と、電気基板に表面実装された少なくとも1つのコネクタジャックと、電気基板を保持するシャーシ部材と、コネクタジャックの実装面と対向する面でコネクタジャックの筐体に当接するコネクタジャック補強部材と、開閉自在であり、閉じ状態でコネクタジャックを保護するコネクタジャック保護カバーとを有し、コネクタジャック保護カバーは開き状態でシャーシ部材と当接する第一の面と、コネクタジャック補強部材と当接する第二の面とを含む突起形状を有することを特徴とする。
【発明の効果】
【００１０】
本発明によれば、コネクタジャックを有する電子機器において、コネクタジャックの静圧強度アップと、コネクタジャックに静圧負荷がかかった時、コネクタジャックが実装されている電気基板への負荷を軽減させることが可能となる。
【図面の簡単な説明】
【００１１】
【図１】（ａ）本発明におけるデジタルカメラを前方（被写体側）から見た外観斜視図。（ｂ）本発明におけるデジタルカメラを後方（撮影者側）から見た外観斜視図。
【図２】本発明におけるデジタルカメラの分解斜視図。
【図３】本発明におけるデジタルカメラの端子カバーの開き状態を後方（撮影者側）から見た外観斜視図。
【図４】本発明におけるデジタルカメラのコネクタジャック補強部材の取り付け構成図。
【図５】（ａ）本発明におけるデジタルカメラの電気回路基板の要部拡大斜視図。（ｂ）本発明におけるデジタルカメラの電気回路基板の要部拡大正面図。
【図６】（ａ）、（ｂ）本発明の実施形態を示したコネクタジャック補強部材の斜視図。
【図７（ａ）】本発明におけるデジタルカメラの要部拡大右側面図。
【図７（ｂ）】本発明におけるデジタルカメラの端子カバー閉じ状態における水平断面図。
【図７（ｃ）】本発明におけるデジタルカメラの端子カバー開き状態における水平断面図。
【発明を実施するための形態】
【００１２】
図１（ａ）は本実施例のデジタルカメラを前方（被写体側）から見た外観斜視図である。また、図１（ｂ）は本実施例のデジタルカメラを後方（撮影者側）から見た外観斜視図である。
【００１３】
１はデジタルカメラ本体であり、デジタルカメラ本体１の外装は、前カバー２、上カバー３、背面カバー４、サイドカバー５、端子カバー６、で構成されている。
【００１４】
図２は、デジタルカメラ１の分解斜視図である。
【００１５】
図２において、４ａは背面カバーユニットであり、背面カバーユニット４ａはビス１３、サイドカバー５はビス１４によってデジタルカメラ本体１に取り付けられる。９は電気回路基板、１０は外部インターフェース端子部、１１は周辺機器用端子部である。端子カバー６はエラストマーあるいはゴム等の弾性を有する材料で成形されており、サイドカバー５に圧入され、外部インターフェース端子部１０、周辺機器用端子部１１を保護している。外部インターフェース端子部１０は、カメラを外部機器と接続するための端子部であり、電気回路基板９に実装されている。本実施例では、ＵＳＢ  ＭｉＮｉ−ＢおよびＨＤＭＩ  ＴｙｐｅＣ端子のコネクタジャックである。周辺機器用端子部１１は、カメラの周辺機器を接続するための端子部であり、不図示の電気回路基板に実装されている。本実施例では、マイクおよびリモートコントローラー用の端子のコネクタジャックである。
【００１６】
７は外装ラバーであり、外装ラバー７はエラストマーあるいはゴム等の弾性を有する材料で成形されており、端子カバー６と一体的に意匠性を高めつつ、撮影時の滑り止めの役割を持つ。８はシャーシであり、シャーシ８は金属で成形されており、デジタルカメラ本体１の骨格の一部をなしている。シャーシ８は不図示の電池のグランドに接続されている。１２はフレキコネクタであり、シャーシ８に固定された電気回路基板９上に実装されている。背面カバーユニット４は後述するフレキシブル電気回路基板によってフレキコネクタ１２に電気的に接続される。
【００１７】
１５はコネクタジャック補強部材であり、シャーシ８にビス固定されている。
【００１８】
図３はデジタルカメラを後方（撮影者側）から見た外観斜視図であり、端子カバー６を開いた状態を示している。端子カバー６を開くことによって、電子回路基板９に実装されたＵＳＢ  ＭｉＮｉ−Ｂ端子１０ａおよびＨＤＭＩ  ＴｙｐｅＣ端子１０ｂに不図示のケーブルを挿入可能な状態となる。ＵＳＢ  ＭｉＮｉ−Ｂ端子１０ａにはＵＳＢケーブルを挿入し、ＵＳＢ端子を有するパーソナルコンピュータ等との通信に使用される。
【００１９】
また、ＨＤＭＩ  ＴｙｐｅＣ端子１０ｂにＨＤＭＩケーブルを挿入し、ＨＤＭＩ端子を有するデジタルテレビ等に接続することで、映像／音声信号をデジタルテレビへと送信することができる。
【００２０】
ここで、端子カバー６の開き方向は、各ケーブルの挿入方向と略平行となるような引き出し式の開き構成となっている。
【００２１】
次に、デジタルカメラの内部構造について、図４〜図７を用いて説明する。
【００２２】
図４は、コネクタジャック補強部材１５の取り付け構成である。
【００２３】
図４に示すように、コネクタジャック補強部材１５を取り付ける場合には、まず、コネクタジャック補強部材１５の孔部１５ａ、１５ｂをそれぞれＵＳＢ  ＭｉＮｉ−Ｂ端子１０ａおよびＨＤＭＩ  ＴｙｐｅＣ端子１０ｂに係合させ、その後、電気回路基板９と共にシャーシ８に孔部１５ｃをネジ止めする。
【００２４】
図５（ａ）は、図４の電気回路基板９の要部斜視図である。図５（ｂ）は、図５（ａ）を正面から見た電気回路基板９の詳細図である。
【００２５】
図５（ａ）と図５（ｂ）に示すように、電気回路基板９には、ＵＳＢ  ＭｉＮｉ−Ｂ端子１０ａおよびＨＤＭＩ  ＴｙｐｅＣ端子１０ｂが実装されている。
【００２６】
ＨＤＭＩ  ＴｙｐｅＣ端子１０ｂは、ＨＤＭＩプラグが挿入される角型の筐体１０ｂ１を有しており、筐体１０ｂ１の底面が電気回路基板９上に載置され、電気回路基板９の信号線等のパターン上に半田付けされることによって表面実装されている。また、筐体１０ｂ１には補強のため４つの脚部１０ｂ２が形成されており、電気回路基板９のスルーホールに挿入され、半田付けされている。したがって、ＨＤＭＩ  ＴｙｐｅＣ端子１０ｂは、プラグの抜き差しやコジリに対して比較的信頼性の高い固定がなされている。
【００２７】
また、ＵＳＢ  ＭｉＮｉ−Ｂ端子１０ａは、ＵＳＢプラグが挿入される角形の筐体１０ａ１を有しており、筐体１０ａ１の一部が電気回路基板９の切り欠きに嵌まるように載置されている。そして、ＵＳＢ  ＭｉＮｉ−Ｂ端子１０ａは、電気回路基板９の信号線等のパターン上に半田付けされることによって表面実装されている。ここで、ＵＳＢ  ＭｉＮｉ−Ｂ端子１０ａは、ＨＤＭＩ  ＴｙｐｅＣ端子１０ｂよりも背の高い部品であるため、電気回路基板９を切り欠いて載置されており、電気回路基板９で支えられることがない。また、筐体１０ａ１に補強のため形成された４つの脚部１０ａ２の内２つが、電気回路基板９のスルーホールに挿入され、他の２つが電気回路基板９のランドに半田付けされており、ＨＤＭＩ  ＴｙｐｅＣ端子１０ｂよりも弱い固定となっている。したがって、ＵＳＢ  ＭｉＮｉ−Ｂ端子１０ａは、パターンの半田強度に依存し、プラグの抜き差しの繰り返しやコジリによって電気回路基板９から外れる可能性がある。
【００２８】
図６（ａ）と図６（ｂ）は、コネクタジャック補強部材１５の斜視図である。
【００２９】
図６（ａ）と図６（ｂ）に示すように、コネクタジャック補強部材１５は金属で成形され、電気回路基板９に実装されたＵＳＢ  ＭｉＮｉ−Ｂ端子１０ａおよびＨＤＭＩ  ＴｙｐｅＣ端子１０ｂの筐体１０ａ１と１０ｂ１の上面と、電気回路基板９の実装裏面とを覆うようにコの字形状が形成されている。また、外部インターフェース端子部１０の角型の筐体１０ａと１０ｂの口元に係合する孔部１５ａと１５ｂが形成されている。また、電気回路基板９とともにシャーシ８に固定するための孔部１５ｃ及びサイドカバー５とともにシャーシ８に固定するための孔部１５ｄが形成されている。
【００３０】
図７（ａ）はデジタルカメラ１の要部右側面図である。図７（ｂ）及び図７（ｃ）は、図７（ａ）の断面線Ａ−Ａでの水平断面図を示しており、図７（ｂ）は端子カバー６を開いた状態を、図７（ｃ）は端子カバー６を閉じた状態を示している。
【００３１】
図７（ｂ）と図７（ｃ）に示すように、コネクタジャック補強部材１５は、先端部のジャック押さえ面１５ｅがＵＳＢ  ＭｉＮｉ−Ｂ端子１０ａの筐体の一面１０ａ１１と、電気回路基板９との固定面１５ｈが電子回路基板９のジャック実装面の裏面９ａと当接し、シャーシ８ともビス１６で固定されて接続されることで、ＵＳＢ  ＭｉＮｉ−Ｂ端子１０ａを補強すると共に、電池のグランドにも接続している。なお、コネクタジャック補強部材１５の先端部押さえ面１５ｅは、ＵＳＢ  ＭｉＮｉ−Ｂ端子１０ａの電子回路基板９との半田付け部９ｂに対応する位置になるように設置されている。
【００３２】
図７（ｃ）の端子カバー６を閉じた状態では、端子カバー６が各端子を覆うことにより各端子の内部に塵や埃が侵入することを防止している。
【００３３】
図７（ｃ）の端子カバー６を閉じた状態から、端子カバー６をＵＳＢ  ＭｉＮｉ−Ｂ端子１０ａ及びＨＤＭＩ  ＴｙｐｅＣ端子１０ｂの挿入方向と平行な方向に引き出すことにより、図７（ｂ）に示す端子カバー６の開き状態となり、各端子に不図示のＵＳＢケーブルを挿入できる状態となる。図７（ｂ）の状態では、端子カバー６の突起部６ａがシャーシ８と、コネクタジャック補強部材１５の間に侵入し、突起部６ａのシャーシ８側の面６ａ１がシャーシ８の背面側の面と、突起部６ａのコネクタジャック補強部材１５側の面６ａ２がコネクタジャック補強部材１５の押さえ腕の上面１５ｅと当接する。また、端子カバー６に設けられた突起部６ａと６ｂがそれぞれシャーシの端面８ｂと８ｃに当接することにより、端子カバー６を引き出した時の抜け止めとなっている。なお、突起部６ａは、端子カバー６を引き出した状態において、コネクタジャック補強部材１５の曲げ部１５ｇとＵＳＢケーブルの挿入方向と垂直な方向でほぼ同一直線上になるように形成されている。
【００３４】
次に端子カバー６の外観面６ｃを押し込むことにより、端子カバー６の突起部６ａがシャーシ８とコネクタジャック補強部材１５の間から抜け、サイドカバー４まで押し込むにより、図７（ｃ）に示す端子カバー６の閉じ状態になる。
【００３５】
実施の形態によれば、コネクタジャック補強部材１５がＵＳＢ  ＭｉＮｉ−Ｂ端子１０ａの筐体の一面１０ａ１１に当接し、電子回路基板９ともビス固定で接続されることで、電池のグランドに接続される。また、端子カバー６を開いて、ＵＳＢ  ＭｉＮｉ−Ｂ端子１０ａに不図示のＵＳＢケーブルを挿入して使用する状態において、突起部６ａがシャーシ８とコネクタジャック補強部材１５の間に侵入する。突起部６ａと、ＵＳＢ  ＭｉＮｉ−Ｂ端子１０ａの電子回路基板９への半田付け部９ｂと、コネクタジャック補強部材１５の曲げ部１５ｇと、シャーシ８の当接部８ａがＵＳＢケーブルの挿入方向と垂直な方向にほぼ同一直線上になるような配置となる。これにより、ＵＳＢケーブルの抜き差しの繰り返しやコジリによってＵＳＢ  ＭｉＮｉ−Ｂ端子１０ａに静圧負荷がかかった場合においても、コネクタジャック補強部材１５と端子カバー６に設けられた突起部６ａを介して強度の高いシャーシ８で支えることができるため、ＵＳＢ  ＭｉＮｉ−Ｂ端子１０ａが電子回路基板９から浮くのを防止すると共に、電子回路基板９への負荷を軽減させることが可能となる。
【００３６】
なお、本実施の形態では、ＵＳＢ  ＭｉＮｉ−Ｂ端子１０ａの補強構造について説明したが、ＨＤＭＩ  ＴｙｐｅＣ端子１０ｂやその他ジャックの補強に同様の構成を適用しても構わない。
【００３７】
また、デジタルカメラの端子に限定して説明したが、デジタルカメラに限定されるものではなく、その他電子機器の端子に同様の構成を適用しても構わない。
【符号の説明】
【００３８】
１  デジタルカメラ本体
２  前カバー
３  上カバー
４  背面カバー
５  サイドカバー
６  端子カバー
７  外装ラバー
８  シャーシ
９  電気回路基板
１０  外部インターフェース端子部
１５  コネクタジャック補強部材
【図１】
2012146593.tif 000003
【図２】
2012146593.tif 000004
【図３】
2012146593.tif 000005
【図４】
2012146593.tif 000006
【図５】
2012146593.tif 000007
【図６】
2012146593.tif 000008
【図７（ａ）】
2012146593.tif 000009
【図７（ｂ）】
2012146593.tif 000010
【図７（ｃ）】
2012146593.tif 000011